(57)【要約】【課題】簡単な構造で低温時における液晶表示素子の応答性が低下することを抑えることができる液晶表示装置を提供する。【解決手段】液晶表示素子１と、この液晶表示素子１を保持する保持部材３と、液晶表示素子１の背後に配置され液晶表示素子１と電気的に接続された回路基板４と、液晶表示素子１を照明する発光ダイオード６と、液晶表示素子１を温める酸化金属皮膜抵抗１２（発熱体）と、液晶表示素子１またはその近辺温度を検知するサーミスタ１１（温度検出素子）とを備え、酸化金属皮膜抵抗１２を保持部材３と回路基板４とによって囲まれた内部Ｓに配置する。【選択図】図１
2006064916.tif 000002
【特許請求の範囲】
【請求項１】
液晶表示素子と、この液晶表示素子を保持する保持部材と、前記液晶表示素子の背後に配置され前記液晶表示素子と電気的に接続された回路基板と、前記液晶表示素子を温める発熱体と、前記液晶表示素子またはその近辺温度を検知する温度検出素子とを備え、前記発熱体を前記保持部材と前記回路基板とによって囲まれた内部に配置したことを特徴とする液晶表示装置。
【請求項２】
液晶表示素子と、この液晶表示素子を保持する保持部材と、前記液晶表示素子の背後に配置され前記液晶表示素子と電気的に接続された回路基板と、前記液晶表示素子を照明する光源と、前記液晶表示素子を温める発熱体と、前記液晶表示素子またはその近辺温度を検知する温度検出素子とを備え、前記発熱体を前記保持部材と前記回路基板とによって囲まれた内部に配置したことを特徴とする液晶表示装置。
【請求項３】
前記温度検出素子を前記保持部材と前記回路基板とによって囲まれた内部に配置したことを特徴とする請求項１または請求項２に記載の液晶表示装置。
【請求項４】
前記発熱体が酸化金属皮膜抵抗であることを特徴とする請求項１から請求項３のいずれかに記載の液晶表示装置。
【発明の詳細な説明】
【技術分野】
【０００１】
本発明は、液晶表示装置に関するものであり、特に液晶表示素子を温める発熱体を有する液晶表示装置に関するものである。
【背景技術】
【０００２】
液晶表示素子を用いた液晶表示装置において、液晶の温度が低下すると応答速度が遅くなってしまうことが知られている。この点を改善したものとして、例えば下記特許文献１がある。特許文献１に記載の液晶表示装置は、熱伝導性の良い部材によって形成された外枠１の内側に液晶表示本体２（液晶表示素子）が熱的に接するように配置するとともに、外枠１の外表面に液晶表示本体２の駆動に関連する発熱素子（例えば、駆動ＩＣ３や電源ＩＣ４など）を熱的に接続したものである。この様に構成することによって、発熱素子から発生した熱が外枠１から液晶表示本体２へと伝わり、液晶表示本体２が加熱され、液晶表示本体２の視認性や応答性が低下することがないというものである。
【特許文献１】実開平６−８９２８号公報
【発明の開示】
【発明が解決しようとする課題】
【０００３】
しかしながら、上記特許文献１の液晶表示装置においては、外枠１を鉄などの熱伝導性の良い材料とする必要があると共に、複数の駆動ＩＣ３や電源ＩＣ４を取付ステー５とねじ６を用いて外枠１との間に挟むようにして固着しなければならならず、構造も複雑となり、コストアップしてしまう。また、液晶表示本体２の周縁から熱が伝わるようにしてあるため、液晶表示本体２の中央部分に於いては熱の伝わりが遅れてしまう。また、発熱素子が外枠１の外側に配置してあるために熱が外部に逃げやすく損失が大きい。
【０００４】
本発明はこの様な点に鑑みなされたもので、簡単な構造で低温時における液晶表示素子の応答性が低下することを抑えることができる液晶表示装置を提供することを目的とする。
【課題を解決するための手段】
【０００５】
本発明は前記目的を達成するため、液晶表示素子と、この液晶表示素子を保持する保持部材と、前記液晶表示素子の背後に配置され前記液晶表示素子と電気的に接続された回路基板と、前記液晶表示素子を温める発熱体と、前記液晶表示素子またはその近辺温度を検知する温度検出素子とを備え、前記発熱体を前記保持部材と前記回路基板とによって囲まれた内部に配置したものである。
【０００６】
また、液晶表示素子と、この液晶表示素子を保持する保持部材と、前記液晶表示素子の背後に配置され前記液晶表示素子と電気的に接続された回路基板と、前記液晶表示素子を照明する光源と、前記液晶表示素子を温める発熱体と、前記液晶表示素子またはその近辺温度を検知する温度検出素子とを備え、前記発熱体を前記保持部材と前記回路基板とによって囲まれた内部に配置したものである。
【０００７】
また、前記温度検出素子を前記保持部材と前記回路基板とによって囲まれた内部に配置したものである。
【０００８】
また、前記発熱体を酸化金属皮膜抵抗としたものである。
【発明の効果】
【０００９】
簡単な構造で低温時における液晶表示素子の応答性が低下することを抑えることができる液晶表示装置を得ることができる。
【発明を実施するための最良の形態】
【００１０】
以下、添付図面に基づいて本発明の実施形態を説明する。図１および図２は液晶表示装置の断面図である。図２は、図１とは直交する方向で長手方向の断面を示す。
【００１１】
液晶表示装置は、２枚のガラス基板間に液晶分子を封入し、各々のガラス基板に例えばスモーク調の偏光膜を貼り合わせた矩形の液晶表示素子１と、この液晶表示素子１の裏面側に配置され光透過性を有する拡散板２と、液晶表示素子１および拡散板２が保持される保持部材３と、液晶表示素子１の背後に配置され液晶表示素子１と電気的に接続された硬質の回路基板４と、液晶表示素子１や保持部材３を回路基板４に固定するための金属製の押え枠５と、回路基板４上に実装され液晶表示素子１を背後から照明する光源としての発光ダイオード６を備えている。
【００１２】
保持部材３は白色の合成樹脂からなり、周壁７と、液晶表示素子１および拡散板２が載置される載置部８と、この載置部８から発光ダイオード６側に向かって延びる反射壁９を有している。周壁７はその全周が回路基板４にほぼ接するようにしてある。なお、反射壁９は発光ダイオード６からの光を反射させて拡散板２側に導くものである。例えば白色で発光する発光ダイオード６が点灯すると、拡散板２を直射する光が多いが、反射壁９に反射して拡散板２側に導かれる光もあり、これらの光が拡散板２で拡散されて、表示部（図示せず）を除いた液晶表示素子１面をほぼ均一に照明するようになる。なお、満足する照明が得られるようであれば、反射壁９や拡散板２は省略しても良い。
【００１３】
押え枠５周囲の複数箇所には足部１０を設けて、その先端側を回路基板４に設けた孔（図示せず）に挿入して折り曲げている。この様にすることによって、液晶表示素子１や保持部材３などが回路基板４に取付固定される。なお、図示しないが金属製の端子あるいはフレキシブルプリント板などを用いて、液晶表示素子１と回路基板４とを電気的に接続している。また、押え枠５を用いず、保持部材３の下端側（回路基板４側）に係止部を設けて液晶表示素子１が保持された保持部材３を回路基板４にフック止めするようにしても良い。
【００１４】
回路基板４には、前述した様に液晶表示素子１を照明する発光ダイオード６の他に、図示しないが液晶表示素子１に表示動作を行わせるマイクロコンピュータや駆動回路，電源回路などの制御手段が実装されている。また、液晶表示素子１またはその近辺温度を検知するための温度検出素子としてのサーミスタ１１と、液晶表示素子１を背後から温める発熱体としての酸化金属皮膜抵抗１２が回路基板４上に実装してある。この酸化金属皮膜抵抗１２およびサーミスタ１１は、保持部材３の周壁７を回路基板４にほぼ接するようにしたことによって生じる保持部材３と回路基板４とによって囲まれた内部Ｓの回路基板４上に実装されるものである。
【００１５】
酸化金属皮膜抵抗１２は液晶表示素子１のほぼ中央に対応した回路基板４にリード１３をハンダ付することによって取付固定される。なお、酸化金属皮膜抵抗１２は複数個設けても良い。また、図示しないが、回路基板４にはサーミスタ１１で検知した温度に基づいて酸化金属皮膜抵抗１２への通電をオン・オフさせる制御手段が設けてある。
【００１６】
次に、酸化金属皮膜抵抗１２の発熱作用について説明する。サーミスタ１１により検知された内部Ｓの温度が例えば０℃以下と低温になった時に酸化金属皮膜抵抗１２への通電をオンさせる。それにより酸化金属皮膜抵抗１２からの発熱で液晶表示素子１が温められる。そして、内部Ｓの温度が例えば１０℃を超えたことを検知すると酸化金属皮膜抵抗１２への通電をオフさせるようにしてある。
【００１７】
この様に、サーミスタ１１と酸化金属皮膜抵抗１２とを保持部材３と回路基板４とによって囲まれた内部Ｓに配置して、内部Ｓが所定の（目標とする）温度以下とならないように温度コントロールを行うので、液晶表示装置が温度の低い環境下で使用される場合であっても液晶表示素子１の応答性が低下することを抑えることができる。
【００１８】
また、サーミスタ１１および酸化金属皮膜抵抗１２を液晶表示素子１を駆動する制御手段や発光ダイオード６などが実装される回路基板４に配置することにより、別部材を使う必要もなく、構造が簡単でコスト的にも安くて済む。また、サーミスタ１１および酸化金属皮膜抵抗１２を保持部材３と回路基板４とによって囲まれた（閉ざされた）内部Ｓに配置したことにより、熱の損失を少なくして効率よく液晶表示素子１を温められる。
【００１９】
また、酸化金属皮膜抵抗１２を液晶表示素子１のほぼ中央に対応した位置に配置することによって、液晶表示素子１全体をより短時間で温めることができる。また、液晶表示素子１を温める発熱体は酸化金属皮膜抵抗１２でなくとも良いが、酸化金属皮膜抵抗１２は小型で回路基板４への固着も容易であり、安価でもある。
【００２０】
なお、本発明は前記実施形態に限定されるものではなく、例えばサーミスタ１１および酸化金属皮膜抵抗１２は必ずしも回路基板４上に配置する必要はない（例えば、サーミスタ１１を液晶表示素子１あるいは拡散板２の裏面側に固着しても良い）が、回路基板４に実装する方が前述した様に構造簡単でコスト的にも安く済む。また、サーミスタ１１は保持部材３と回路基板４とによって囲まれた内部Ｓではなく外部に配置しても良いが、内部Ｓに配置した方が使用状態に合った液晶表示素子１の温度を検知でき、それによって液晶表示素子１を効率良く温めることができる。
【００２１】
また、液晶表示素子１を背後から発光ダイオード６で照明する透過型の液晶表示素子１を用いた液晶表示装置とすることによって、昼夜にかかわらず、表示部が視認可能なように構成しているが、液晶表示素子１を背後から照明する光源を用いない液晶表示装置であっても良く、その場合であっても同様の効果を得ることができる。
【図面の簡単な説明】
【００２２】
【図１】本発明の実施形態を示す液晶表示装置の断面図。
【図２】同液晶表示装置の長手方向の断面図。
【符号の説明】
【００２３】
１  液晶表示素子
３  保持部材
４  回路基板
６  発光ダイオード（光源）
１１  サーミスタ（温度検出素子）
１２  酸化金属皮膜抵抗（発熱体）
Ｓ  内部
【図１】
2006064916.tif 000003
【図２】
2006064916.tif 000004